(57)【要約】【課題】複数のアンテナを切り替えて行う電力測定の高速化を図る。【解決手段】複数の送受信用アンテナ301,302を有し１つの送受信用アンテナに切り替えて送受信を行う無線機のアンテナ送信試験システムに、複数のアンテナを１つの送受信用アンテナに切り替える切替回路201と、切り替えられた送受信用アンテナに対して送受信を行う無線回路202と、送信試験時に無線機のクロック信号に同期して複数の送受信用アンテナを順番に切り替えられた送受信用アンテナから時間軸上に連続して送信波を送信するための試験時制御部203Aと、切り替えられた送受信用アンテナから時間軸上に連続して送信された送信波を受信する試験用アンテナ103と、試験用アンテナで受信された、時間軸上に連続した送信波を時間分析するテスタ102と、時間分析された送信波データを処理して複数の送受信用アンテナの電波の電力を測定する試験制御装置104とを備える。【選択図】図１
2007258858.tif 000002
【特許請求の範囲】
【請求項１】
複数の送受信用アンテナを有し１つの送受信用アンテナに切り替えて送受信を行う無線機のアンテナ送信試験システムにおいて、
複数のアンテナを１つの送受信用アンテナに切り替える切替回路と、
前記切替回路により切り替えられた送受信用アンテナに対して送受信を行う無線回路と、
送信試験時に前記無線機のクロック信号に同期して前記複数の送受信用アンテナを順番に切り替えるように前記切替回路を制御し、且つ、前記無線回路を制御し、切り替えられた送受信用アンテナから時間軸上に連続して送信波を送信するための試験時切替制御部と、
切り替えられた送受信用アンテナから時間軸上に連続して送信された送信波を受信する試験用アンテナと、
前記試験用アンテナで受信された、時間軸上に連続した送信波を時間分析するテスタと、
前記テスタで時間分析された送信波データを処理して前記複数の送受信用アンテナの電波の電力を測定する試験制御装置とを備えることを特徴とする無線機のアンテナ送信試験システム。
【請求項２】
前記試験時切替制御部は、複数の送受信アンテナからの電波の電力の測定を繰り返して行う場合には、今回と次回の測定の間には送信波が送信されない一定のＯＦＦ期間が設けられることを特徴とする、請求項１に記載の無線機のアンテナ送信試験システム。
【請求項３】
複数のアンテナを有し１つのアンテナに切り替えて送受信を行う無線機のアンテナ送信試験方法において、
送信試験時に前記無線機のクロック信号に同期して前記複数のアンテナを順番に切り替える工程と、
切り替えられたアンテナから時間軸上に連続して送信波を送信する工程と、
切り替えられた送受信用アンテナから時間軸上に連続して送信された送信波を受信する工程と、
受信された、時間軸上に連続した送信波を時間分析する工程と、
時間分析された送信波データを処理して前記複数のアンテナの電波の電力を求める工程とを備えることを特徴とする無線機のアンテナ送信試験方法。
【請求項４】
複数のアンテナを有し１つのアンテナに切り替えて送受信を行う無線機のアンテナ送信試験をコンピュータで実行するプログラムにおいて、
送信試験時に前記無線機のクロック信号に同期して前記複数のアンテナを順番に切り替える手順と、
切り替えられたアンテナから時間軸上に連続して送信波を送信する手順と、
切り替えられた送受信用アンテナから時間軸上に連続して送信された送信波を受信する手順と、
受信された、時間軸上に連続した送信波を時間分析する手順と、
時間分析された送信波データを処理して前記複数のアンテナの電波の電力を求める手順とを備えることを特徴とする無線機のアンテナ送信試験をコンピュータで実行するプログラム。
【請求項５】
複数の送受信用アンテナを有し１つの送受信用アンテナに切り替えて送受信を行う無線機において、
複数のアンテナを１つの送受信用アンテナに切り替える切替回路と、
前記切替回路により切り替えられた送受信用アンテナに対して送受信を行う無線回路と、
送信試験時に前記無線機のクロック信号に同期して前記複数の送受信用アンテナを順番に切り替えるように前記切替回路を制御し、且つ、前記無線回路を制御し、切り替えられた送受信用アンテナから時間軸上に連続して送信波を送信し、切り替えられた送受信用アンテナから時間軸上に連続して送信された送信波を試験用アンテナに受信させ、前記試験用アンテナで受信された、時間軸上に連続した送信波をテスタに時間分析させ、前記テスタで時間分析された送信波データを処理して前記複数の送受信用アンテナからの電波の電力を試験制御装置で測定させるための試験時切替制御部とを備えたことを特徴とする無線機。
【請求項６】
複数の送受信用アンテナを有し１つの送受信用アンテナに切り替えて送受信を行う無線機のアンテナ送信試験装置において、
前記無線機で切り替えられた送受信用アンテナから時間軸上に連続して送信された送信波を受信する試験用アンテナと、
前記試験用アンテナで受信された、時間軸上に連続した送信波を時間分析するテスタと、
前記テスタで時間分析された送信波データを処理して前記複数の送受信用アンテナの電波の電力を測定する試験制御装置とを備えることを特徴とするアンテナ送信試験装置。
【請求項７】
前記テスタはスペクトラムアナライザであることを特徴とする、請求項１又は請求項６に記載の無線機のアンテナ送信試験システム。
【発明の詳細な説明】
【技術分野】
【０００１】
本発明は複数のアンテナを有する無線機のアンテナ送信試験システムに関する。特に、本発明は、試験時間の短縮を可能にする無線機のアンテナ送信試験システム、方法、プログラム、無線機及びアンテナ送信試験装置に関する。
【背景技術】
【０００２】
従来、１の無線機に複数のアンテナを備え、例えば、電界レベルの最も高いアンテナを１つ選択して使用することは周知である。
一例として、２つのアンテナを有する無線機の検査・出荷工程にて、無線機のアンテナの試験を以下のように行う。
図６は本発明の前提となる無線機のアンテナの送信試験を説明する図である。本図（ａ）に示すように、アンテナ切り替え制御信号のＨ（Ｈｉｇｈ）信号で２つのアンテナの一方のアンテナＡに切り替え、本図（ｂ）に示すように、送信する電波のＯＮ／ＯＦＦを行い、送信電波の測定を行い、同様にアンテナ切り替え制御信号のＬ（Ｌｏｗ）信号で他方のアンテナＢに切り替え、送信する電波のＯＮ／ＯＦＦを行い、送信電波の測定を行う。
【０００３】
このように、無線機に対して２のアンテナ切り替えの動作にコマンド、送信電波のＯＮ／ＯＦＦを１つ１つ送って、各々のアンテナに切り替えてから送信電波の測定という手順でアンテナの試験を行っていた。
しかしながら、上記方法では、コマンドの送付、送信電波のＯＮ又はＯＦＦ、送信電波の測定を行う時間を単位時間とすると、アンテナの個数が２個から３個、４個、…、と増えるほど、試験時間が、１つのアンテナに対して、３倍の単位時間、４倍の単位時間、…、と比例して増えていくという問題がある。このため、試験時間を短縮する必要があるという課題がある。
【０００４】
このように複数のアンテナを有する無線機に関しては以下のような従来技術がある。
従来、アダプティブアレイ無線機は、アレイアンテナからの信号をそれぞれ受けてアナログ信号からデジタル信号への変換を行うためのＡ／Ｄ変換器とＡ／Ｄ変換器からの出力を受けて、ダウンサンプリングを行うためのダウンサンプリング装置と、同期位置推定装置の出力を受けて、アダプティブアレイ処理を行うためのアダプティブアレイ処理部とを備え、ダウンサンプリング装置に対して行うタイミング調整信号に応じて、アダプティブアレイ処理部から最小２乗誤差信号が出力され、これにより、アダプティブアレイ無線機の送信指向性のキャリブレーション処理を正確に行うことができるものがある（例えば、特許文献１参照）。
【０００５】
しかしながら、上記特許文献１では、複数のアンテナを有するアダプティブアレイ無線機のキャリブレーションを行うが、複数のアンテナを切り替えて行う電力測定の高速化を図るものではない。
また、従来、スペースダイバーシティ方式を適用し、且つ試験機能を有する無線装置に関し、測定器を用いることなく、歪特性の試験を可能とするため、第１、第２のアンテナによる受信信号を増幅するゲイン可変増幅器を有する第１、第２の受信部と、この第１，第２の受信部の出力信号の位相差を検出する位相検出器と、この位相検出器の検出信号に従って第１、第２の受信部の出力信号の位相を制御する移相回路と、この移相回路により位相を制御した第１、第２の受信部の出力信号を合成する合成部とを有し、且つ遅延回路は試験時の歪の幅に従った遅延時間に設定値により設定変更可能の構成とし、ゲイン可変増幅器を試験時の歪の深さに従ったゲインに制御する構成のゲイン制御部と、移相回路を試験時の歪の周波数に従った位相に制御する構成の位相制御部とを備えているものがある（例えば、特許文献２参照）。
【０００６】
しかしながら、上記特許文献２では、スペースダイバーシティ方式を適用し、且つ試験機能を有する無線装置に関し、測定器を用いることなく、歪特性の試験を可能とするものであるが、前述のように、複数のアンテナを切り替えて行う電力測定の高速化を図るものではない。
また、従来、各無線部を含む個別的な動作部分の特性をそれぞれ検出し、送受信に関する所定処理に供することのできる通信装置を提供するために、アンテナに各々対応して設けられた複数の無線部のうちのいずれか一つの割当を受け、当該割当られたいずれかの無線部との間で信号の入出力を行う複数の信号処理部を備えて、信号処理部のうちの一つを基準とし、当該信号処理部に対して無線部の１つを基準として割当て、検査対象用の信号処理部を定め、検査対象用の信号処理部に対して、無線部の一つを、検査対象として割当てておき、基準となった無線部と、検査対象となった無線部とを接続して、ループバック検査を実行するものがある（例えば、特許文献３参照）。
【０００７】
しかしながら、上記特許文献３では、複数のアンテナを有する無線通信機におけるループバック検査を行うものであるが、前述のように、複数のアンテナを切り替えて行う電力測定の高速化を図るものではない。
また、従来、各通信スロットにおいて最適なアンテナを選択することができる無線通信装置を得るために、方向性結合器は、アンテナからの受信波の一部を取り出して検波回路に出力し、比較器は受信波の受信レベル同士を比較してて、最も受信レベルの高いアンテナがどれであるかを演算処理装置に報告し、演算処理装置はアンテナ切替装置を制御して最も受信レベルの高いアンテナを選択し、このような構成において、各通信スロット毎にレベル比較及びアンテナ切替動作を行うものがある（例えば、特許文献４参照）。
【０００８】
しかしながら、上記特許文献４では、複数のアンテナを有する無線通信機で最適なアンテナを選択するものであるが、前述のように、複数のアンテナを切り替えて行う電力測定の高速化を図るものではない。
また、従来、無線通信装置の設置後の実用状態において無線装置本体とアンテナ装置との動作確認を容易に行うことのできる無線通信装置の自己診断方法及び装置を提供するために、複数のアンテナ装置と複数の受信部及び送信部を有する無線回路とを備えたＴＤＭＡ−ＴＤＤ方式無線通信システムに用いる無線通信装置の事故診断装置であって、一つの無線回路または２つの送信回路に接続された１つのアンテナを介して送信された所定の送信信号を他のアンテナに接続された他の無線回路の受信部を介して受信するループバック試験のときに、前記アンテナ装置、送信部及び受信部の接続の組み合わせを変えてループバック試験処理と、ループバック試験結果をテーブルデータとして記憶する記憶処理とを行う制御手段を有するものがある（例えば、特許文献５参照）。
【０００９】
しかしながら、上記特許文献５では、複数のアンテナを有する無線通信機で自己診断を行うものであるが、前述のように、複数のアンテナを切り替えて行う電力測定の高速化を図るものではない。
また、従来、ＭＩＭＯ（ｍｕｌｔｉｐｌｅ−ｉｎｐｕｔ  ｍｕｌｔｉｐｌｅ  ｏｕｔｐｕｔ）無線通信を使用して別のデバイスと通信する時にチャネル対称性を維持するために、無線装置の位相不一致および振幅不一致を補正する技法を提供し、あるデバイスの複数の送信器および複数の受信器の間の振幅不一致および位相不一致の補正は、そのデバイスの受信器パス、送信器パス、または両方のパスのデジタルロジックを使用して、ベースバンドで行われ、振幅オフセットおよび位相オフセットは、デバイスの第１アンテナパスの送信器に信号を供給し、そのデバイスの第１アンテナから第２アンテナパスに無線信号を接続する（信号は第２アンテナパスに関連する受信器によって低い周波数に変換される）時に、位相応答および振幅応答を測定することによって、複数の無線送信器パス及び無線受信器パスの間で判定されるものがある（例えば、特許文献６参照）。
【００１０】
しかしながら、上記特許文献６では、複数のアンテナを有する無線装置で位相及び振幅のオフセット量を補正するものであるが、前述のように、複数のアンテナを切り替えて行う電力測定の高速化を図るものではない。
【００１１】
【特許文献１】再特ＷＯ２００３／０７３６４９号公報
【特許文献２】特開２００２−１８５４１２号公報
【特許文献３】特開２００４−３５６９４２号公報
【特許文献４】特開２００５−１５０８６４号公報
【特許文献５】特開平１０−１０７７４号公報
【特許文献６】特表２００５−５３８６６６号公報
【発明の開示】
【発明が解決しようとする課題】
【００１２】
したがって、本発明は上記問題点に鑑みて、複数のアンテナを切り替えて行う電力測定の高速化を図る無線機のアンテナ送信試験システム、方法、プログラム、無線機及びアンテナ送信試験装置を提供することを目的とする。
【課題を解決するための手段】
【００１３】
本発明は前記問題点を解決するために、複数の送受信用アンテナを有し１つの送受信用アンテナに切り替えて送受信を行う無線機のアンテナ送信試験システムにおいて、複数のアンテナを１つの送受信用アンテナに切り替える切替回路と、前記切替回路により切り替えられた送受信用アンテナに対して送受信を行う無線回路と、送信試験時に前記無線機のクロック信号に同期して前記複数の送受信用アンテナを順番に切り替えるように前記切替回路を制御し、且つ、前記無線回路を制御し、切り替えられた送受信用アンテナから時間軸上に連続して送信波を送信するための試験時切替制御部と、切り替えられた送受信用アンテナから時間軸上に連続して送信された送信波を受信する試験用アンテナと、前記試験用アンテナで受信された、時間軸上に連続した送信波を時間分析するテスタと、前記テスタで時間分析された送信波データを処理して前記複数の送受信用アンテナの電波の電力を測定する試験制御装置とを備えることを特徴とする無線機のアンテナ送信試験システムを提供する。
【００１４】
さらに、前記試験時切替制御部は、複数の送受信アンテナからの電波の電力の測定を繰り返して行う場合には、今回と次回の測定の間には送信波が送信されない一定のＯＦＦ期間が設けられる。
さらに、本発明は、複数のアンテナを有し１つのアンテナに切り替えて送受信を行う無線機のアンテナ送信試験方法において、送信試験時に前記無線機のクロック信号に同期して前記複数のアンテナを順番に切り替える工程と、切り替えられたアンテナから時間軸上に連続して送信波を送信する工程と、切り替えられた送受信用アンテナから時間軸上に連続して送信された送信波を受信する工程と、受信された、時間軸上に連続した送信波を時間分析する工程と、時間分析された送信波データを処理して前記複数のアンテナの電波の電力を求める工程とを備えることを特徴とする無線機のアンテナ送信試験方法を提供する。
【００１５】
さらに、本発明は、複数のアンテナを有し１つのアンテナに切り替えて送受信を行う無線機のアンテナ送信試験をコンピュータで実行するプログラムにおいて、送信試験時に前記無線機のクロック信号に同期して前記複数のアンテナを順番に切り替える手順と、切り替えられたアンテナから時間軸上に連続して送信波を送信する手順と、切り替えられた送受信用アンテナから時間軸上に連続して送信された送信波を受信する手順と、受信された、時間軸上に連続した送信波を時間分析する手順と、時間分析された送信波データを処理して前記複数のアンテナの電波の電力を求める手順とを備えることを特徴とする無線機のアンテナ送信試験をコンピュータで実行するプログラムを提供する。
【００１６】
さらに、本発明は、複数の送受信用アンテナを有し１つの送受信用アンテナに切り替えて送受信を行う無線機において、複数のアンテナを１つの送受信用アンテナに切り替える切替回路と、前記切替回路により切り替えられた送受信用アンテナに対して送受信を行う無線回路と、送信試験時に前記無線機のクロック信号に同期して前記複数の送受信用アンテナを順番に切り替えるように前記切替回路を制御し、且つ、前記無線回路を制御し、切り替えられた送受信用アンテナから時間軸上に連続して送信波を送信し、切り替えられた送受信用アンテナから時間軸上に連続して送信された送信波を試験用アンテナに受信させ、前記試験用アンテナで受信された、時間軸上に連続した送信波をテスタに時間分析させ、前記テスタで時間分析された送信波データを処理して前記複数の送受信用アンテナからの電波の電力を試験制御装置で測定させるための試験時切替制御部とを備えたことを特徴とする無線機を提供する。
【００１７】
さらに、本発明は、複数の送受信用アンテナを有し１つの送受信用アンテナに切り替えて送受信を行う無線機のアンテナ送信試験装置において、前記無線機で切り替えられた送受信用アンテナから時間軸上に連続して送信された送信波を受信する試験用アンテナと、前記試験用アンテナで受信された、時間軸上に連続した送信波を時間分析するテスタと、前記テスタで時間分析された送信波データを処理して前記複数の送受信用アンテナの電波の電力を測定する試験制御装置とを備えることを特徴とするアンテナ送信試験装置を提供する。
さらに、前記テスタはスペクトラムアナライザである。
【発明の効果】
【００１８】
以上説明したように、本発明によれば、送信試験時に無線機のクロック信号に同期して複数のアンテナを順番に切り替え、切り替えられたアンテナから時間軸上に連続して送信波を送信し、切り替えられた送受信用アンテナから時間軸上に連続して送信された送信波を受信し、受信された、時間軸上に連続した送信波を時間分析し、時間分析された送信波データを処理して複数のアンテナの電波の電力を求めるようにしたので、各送受信用アンテナからの送信波の送信電力を時間軸上で一括で測定できるため試験時間の短縮が可能となり、電力測定の高速化が可能となった。
【００１９】
送信波のＯＮ／ＯＦＦと無線機内部のクロックと同期して複数の送受信用アンテナの切り替えを行うことで、送信波をＯＮして複数の送受信アンテナから単位時間ごとに送信波を送信することが可能となるためである。
【発明を実施するための最良の形態】
【００２０】
以下、本発明の実施の形態について図面を参照して説明する。
図１は本発明に係る無線機のアンテナ送信試験システムの概略構成例を示すブロック図である。本図に示す無線機のアンテナ送信試験システム１００はプログラム制御で動作し、一例として、無線機１０１には２つの送受信用アンテナ３０１、３０２が設けられ、送受信用アンテナ３０１、３０２の１つが電波の送受信を行う。
【００２１】
送受信用アンテナ３０１、３０２には切替回路２０１が接続され、切替回路２０１は送受信用アンテナ３０１、３０２を順番に切り替えて電波の送受信を可能にする。
切替回路２０１には無線回路２０２が接続され、無線回路２０２は送受信用アンテナ３０１、３０２に共用され、送受信用アンテナ３０１、３０２への送信波に対する変調を行い、送受信用アンテナ３０１、３０２からの受信波に対する復調を行う。
【００２２】
無線回路２０２、切替回路２０１には制御回路２０３が接続され、制御回路２０３は無線回路２０２、切替回路２０１を含む無線機１０１の全体の制御を行い、さらに、試験時切替制御部２０３Ａを有し、試験時切替制御部２０３Ａは、アンテナの送信試験時に無線機１０１が内蔵するクロックのクロック信号に同期して、無線回路２０２に対して送受信のＯＮ／ＯＦＦ制御を行い、切替回路２０１に対して切替の制御を行う。
【００２３】
無線機１０１の検査・出荷工程では、制御回路２０３の試験時切替制御部２０３Ａには試験制御装置１０４が接続され、試験制御装置１０４はテスタ１０２を介して試験用アンテナ１０３に接続される。
試験用アンテナ１０３は送受信用アンテナ３０１又は３０２からの送信波を受信し、テスタ１０２はスペクトルアナライザ等で実現され、試験用アンテナ１０３が受信した受信波を入力し、入力した受信波の電力に対して時間分析を行う。
【００２４】
試験制御装置１０４はパーソナルコンピュータ（以下ＰＣと呼ぶ）等で実現され、被試験機である無線機１０１における制御回路２０３の試験時切替制御部２０３Ａに対してアンテナ送信試験を行うように指示し、テスタ１０２の受信波の電力の時間分析に基づき送受信用アンテナ３０１、３０２から送信された電波の電力を測定する。
図２は図１におけるアンテナ送信試験システムの送信試験動作例を説明するタイムチャートである。
【００２５】
本図（ａ）に示すように、試験制御装置１０４から無線機１０１における制御回路２０３の試験時切替制御部２０３Ａに送信試験開始信号Ｓ０が出力される。
本図（ｂ）に示すように、無線機１０１に内蔵されるクロックではクロック信号Ｓ１を発生する。
本図（ｃ）に示すように、試験時切替制御部２０３Ａでは送信試験開始信号Ｓ０があると、クロック信号に同期してアンテナ切り替え制御信号Ｓ２を発生し、切替回路２０１に出力する。
【００２６】
すなわち、クロック信号の立ち上がりでアンテナ切り替え制御信号Ｓ２をＨ（Ｈｉｇｈ）にし、次のクロック信号の立ち上がりでＬ（Ｌｏｗ）にし、この処理を繰り返す。
切替回路２０１では、Ｈ信号を入力すると無線回路２０２にアンテナ３０１を接続し、Ｌ信号を入力すると無線回路２０２にアンテナ３０２を接続する。
本図（ｄ）に示すように、試験時切替制御部２０３Ａでは、送信試験開始信号Ｓ０があると、アンテナ切り替え制御信号Ｓ２に同期して送信制御信号Ｓ３を発生し、無線回路２０２に出力する。
【００２７】
すなわち、アンテナ切り替え制御信号Ｓ２の立ち上がりで送信制御信号Ｓ３をＨにし、次のアンテナ切り替え制御信号Ｓ２の立ち上がりで送信制御信号Ｓ３をＬにする。
本図（ｅ）に示すように、無線回路２０２から切替回路２０１に、Ｈの送信制御信号Ｓ３に対して、送信波形Ｓ４が出力される。
すなわち、アンテナ切り替え制御信号Ｓ２がＨである場合には、送受信用アンテナ３０１から送信波Ｓ４が出力され、アンテナ切り替え制御信号Ｓ２がＬである場合には、送受信用アンテナ３０２から送信波が出力される。
【００２８】
送信試験を繰り返す場合、送信波形Ｓ４に一定のＯＦＦ（Ｌ）期間が必要となる。一度目の送信試験の終了後、試験制御装置１０４から次の送信試験開始信号Ｓ０がないと、アンテナ切り替え制御信号Ｓ２の立ち上がりがあっても、送信制御信号Ｓ３をＯＦＦ（Ｌ）期間に保持する。送信波形Ｓ４がＯＦＦ（Ｌ）期間のとき、送受信用アンテナ３０１、３０２のどちらを選択されていても送信波は送信されない。このように、送信にＯＦＦ期間を設けている理由は、テスタ１０２側で送信波の電力レベルを測定するために、電力レベルでトリガーをかけているためであり、送受信用アンテナ３０１、３０２の各々からの送信される送信波を判別し、時間軸上で送信波を測定するためである。
【００２９】
本図（ｆ）に示すように、試験用アンテナ１０３を介して、送受信用アンテナ３０１、３０２から受信した送信波形が時間軸上に連続するので、テスタ１０２では、時間軸上に連続する送信波形を時間分析する。
なお、試験制御装置１０４では、テスタ１０２によって時間分析された送信波形のデータを処理して、送受信用アンテナ３０１、３０２で出力された電波を測定する。
【００３０】
図３は図５との比較を説明するための図である。本図に示すように、一連の制御されたアンテナ切り替え制御信号Ｓ２を設けることで送受信用アンテナ３０１、３０２を高速で切り替えて送受信用アンテナ３０１、３０２の各々から送信される電波を送信することが可能になり、同時にテスタ１０２側でも送受信用アンテナ３０１、３０２の各々からの送信される電波の電力を測定することが可能とし、図５と比較して、１の単位時間で一括して測定を実施でき、測定の際の時間を短縮でき、高速で電波の電力測定試験を行うことが可能となる。
【実施例１】
【００３１】
図４は図１の変形例であり、無線機のアンテナ送信試験システムの概略構成例を示すブロック図である。本図に示すように、図１と比較して２個のアンテナをＮ個に拡張して無線機１０１には複数の送受信用アンテナ３０１、３０２，…、３０Ｎが設けられ、送受信用アンテナ３０１、３０２、…、３０Ｎのうち１つが電波の送受信に用いられる。無線機の検査・出荷工程では、以下のようにして、送信試験が行われる。
【００３２】
図５は図４のアンテナ送信試験システムの送信試験動作例を説明するタイムチャートである。本図に示すように、図２と比較して、アンテナ切り替え制御信号Ｓ２１がＨのときアンテナ３０１、アンテナ切り替え制御信号Ｓ２２がＨのときアンテナ３０２、…、アンテナ切り替え制御信号ＳＮがＨのときアンテナ３０Ｎが選択され送信されるとする。
本図（ｆ）、（ｅ）、（ｄ）、（ｃ）に示すように、アンテナ切り替え信号Ｓ２１、Ｓ２２、…、Ｓ２Ｎは本図（ｂ）に示すクロック信号Ｓ１に同期してそれぞれ順番にＨになるとする。
【００３３】
アンテナ切り替え信号Ｓ２１、Ｓ２２、…、Ｓ２Ｎが順番にＨになる間、本図（ｇ）に示すように、送信制御信号Ｓ３はＨとなり、本図（ｈ）に示すように、送信波形Ｓ４は無線回路２０２から切替回路２０１に出力される。
本図（ｉ）に示すように、テスタ１０２では、試験用アンテナ１０３で受信した送受信用アンテナ３０１、３０２、…、３０Ｎからの送信波形Ｓ５が時間軸上で連続となり、時間分析される。試験制御装置１０４ではテスタ１０２で処理された送信波形のデータを処理して送受信用アンテナ３０１、３０２、…、３０Ｎからの送信された電波の電力を測定し、１単位時間で一括して測定を実施することができ、測定の際の時間が短縮でき、高速で電波測定試験を行うことが可能になる。
【産業上の利用可能性】
【００３４】
以上の説明では、無線機一般について説明を行ったが、複数のアンテナを内部に有する携帯電話機、ＰＨＳ（簡易型携帯電話機）、ＰＤＡ（携帯情報端末）を含む携帯無線機全般に本発明を利用可能である。
また、以上の説明では、複数のアンテナを有する無線機でアンテナを切り替えて送受信を行い、同様に、アンテナの送信試験ではアンテナを切り替えて送信波を出力したが、無線機のアンテナを切り替えずに送受信を行う場合でも、アンテナの送信試験でアンテナを切り替えて送信試験を行う場合には本発明を利用することができる。
【図面の簡単な説明】
【００３５】
【図１】本発明に係る無線機のアンテナ送信試験システムの概略構成例を示すブロック図である。
【図２】図１におけるアンテナ送信試験システムの送信試験動作例を説明するタイムチャートである。
【図３】図５との比較を説明するための図である。
【図４】図１の変形例であり、無線機のアンテナ送信試験システムの概略構成例を示すブロック図である。
【図５】図４のアンテナ送信試験システムの送信試験動作例を説明するタイムチャートである。
【図６】本発明の前提となる無線機のアンテナの送信試験を説明する図である。
【符号の説明】
【００３６】
１００…無線機のアンテナ送信試験システム
１０１…無線機
１０２…テスタ
１０３…試験用アンテナ
３０１、３０２、３０Ｎ…送受信用アンテナ
１０４…試験制御装置
２０１…切替回路
２０２…無線回路
２０３…制御回路
２０３Ａ…試験時切替制御部
【図１】
2007258858.tif 000003
【図２】
2007258858.tif 000004
【図３】
2007258858.tif 000005
【図４】
2007258858.tif 000006
【図５】
2007258858.tif 000007
【図６】
2007258858.tif 000008